(57)【特許請求の範囲】
【請求項１】
複数の通信装置と、該複数の通信装置とネットワークを介して接続される通信ログ解析
装置と、を含むネットワークシステムであって、
前記複数の通信装置は、前記端末が無線接続する基地局、及び、前記端末が接続するプロキシサーバを含み、
前記複数の通信装置は、通信ログ情報を生成し、生成した通信ログ情報を前記通信ログ
解析装置に送信し、
前記通信ログ解析装置は、
前記複数の通信装置より受信した通信ログ情報から、前記基地局が生成した通信ログ情報、及び、前記プロキシサーバが生成した通信ログ情報を抽出し、
前記基地局が生成した通信ログ情報から、前記端末が通信を行った場所、又は、前記端末が通信を行いながら移動した経路を推定し、
前記プロキシサーバが生成した通信ログ情報から、前記端末が通信を行った際の接続先情報を抽出し、
前記端末が通信を行った場所、又は、前記端末が通信を行いながら移動した経路と、前記端末が通信を行った際の接続先情報とを対応づけることを特徴とするネットワークシステム。
【請求項２】
請求項１に記載のネットワークシステムであって、
前記通信ログ解析装置は、前記端末が基地局に接続したときに前記基地局が生成する通
信ログ情報、及び／又は、前記端末が基地局との接続を切断したときに前記基地局が生成
する通信ログ情報を抽出することを特徴とするネットワークシステム。
【請求項３】
請求項２に記載のネットワークシステムであって、
前記通信ログ解析装置は、前記抽出した通信ログ情報と各基地局間の距離が設定された
基地局間距離情報とを用いて、前記端末が移動した移動距離を推定することを特徴とする
ネットワークシステム。
【請求項４】
請求項３に記載のネットワークシステムであって、
前記通信ログ解析装置は、前記抽出した通信ログ情報に設定された該通信ログ情報の生
成時刻から、前記端末が前記基地局間を移動するのに要した移動時間を計算し、該移動時
間と前記移動距離とを用いて前記端末の移動速度を推定することを特徴とするネットワー
クシステム。
【請求項５】
請求項４に記載のネットワークシステムであって、
前記通信ログ解析装置は、基地局毎に基地局の電波が届く範囲内に存在する経路の情報
が設定された経路情報及び前記移動速度を用いて前記端末が通信を行いながら移動した経路を推定することを特徴とするネットワークシステム。
【請求項６】
請求項１に記載のネットワークシステムであって、
前記端末が通信を行った場所、又は、前記端末が通信を行いながら移動した経路と、前記端末が通信を行った際の接続先情報との対応づけに基づいて、サーバへの接続数が多いと判断される場合、前記端末から前記サーバへの接続経路として他の接続経路を設定することを特徴とするネットワークシステム。
【請求項７】
ネットワークを構成する複数の通信装置の通信ログ情報を解析する通信ログ解析システムであって、
前記複数の通信装置は、端末が無線接続する基地局、及び、前記端末が接続するプロキシサーバを含み、
前記複数の通信装置から受信する通信ログ情報を収集する通信ログ収集部と、
前記収集した通信ログ情報から、前記基地局が生成した通信ログ情報、及び、前記プロキシサーバが生成した通信ログ情報を抽出する通信ログ抽出部と、
前記基地局が生成した通信ログ情報から、前記端末が通信を行った場所、又は、前記端末が通信を行いながら移動した経路を推定する位置情報処理部と、
前記プロキシサーバが生成した通信ログ情報から前記端末が通信を行った際の接続先情報を抽出し、前記端末が通信を行った場所、又は、前記端末が通信を行いながら移動した経路と、前記端末が通信を行った際の接続先情報とを対応づけるデータ処理部と、を有することを特徴とする通信ログ解析システム。
【請求項８】
請求項７に記載の通信ログ解析システムであって、
前記通信ログ抽出部は、前記端末が基地局に接続したときに前記基地局が生成する通信
ログ情報、及び／又は、前記端末が基地局との接続を切断したときに前記基地局が生成す
る通信ログ情報を抽出することを特徴とする通信ログ解析システム。
【請求項９】
請求項８に記載の通信ログ解析システムであって、
各基地局間の距離が設定された基地局間距離情報を格納する格納部を有し、
前記位置情報処理部は、前記抽出した通信ログ情報と前記基地局間距離情報とを用いて、前記端末が移動した移動距離を推定することを特徴とする通信ログ解析システム。
【請求項１０】
請求項９に記載の通信ログ解析システムであって、
前記位置情報処理部は、前記抽出した通信ログ情報に設定された該通信ログ情報の生成
時刻から、前記端末が前記基地局間を移動するのに要した移動時間を計算し、該移動時間
と前記移動距離とを用いて前記端末の移動速度を推定することを特徴とする通信ログ解析
システム。
【請求項１１】
請求項１０に記載の通信ログ解析システムであって、
前記格納部は、基地局毎に基地局の電波が届く範囲内に存在する経路の情報が設定され
た経路情報を格納し、
前記位置情報処理部は、前記経路情報及び前記移動速度を用いて前記端末が通信を行いながら移動した経路を推定することを特徴とする通信ログ解析システム。
【請求項１２】
請求項７に記載の通信ログ解析システムであって、
前記端末が通信を行った場所、又は、前記端末が通信を行いながら移動した経路と、前記端末が通信を行った際の接続先情報との対応づけに基づいて、サーバへの接続数が多いと判断される場合、前記端末から前記サーバへの接続経路として他の接続経路が設定されることを特徴とする通信ログ解析システム。
【発明の詳細な説明】
【技術分野】
【０００１】
本発明は，モバイルネットワークにおける通信装置が生成した通信ログ情報の解析を行う装置に関するものである。
【背景技術】
【０００２】
モバイル通信では，第３世代と呼ばれる通信方式の導入により，通信速度の高速化が進み，従来の音声通信中心の利用からデータ通信中心への利用へと変遷している。現在技術開発が進められている第４世代と呼ばれる通信方式では，伝送速度を，光ファイバを用いる有線通信並みに，数百Ｍｂｉｔ／ｓから数Ｇｂｉｔ／ｓとすることを目標としている。
【０００３】
一方，通信速度の向上と共に，モバイル通信で用いられる端末は高機能化してきた。従来，モバイル通信では，音声通信機能と簡易なインターネット接続機能のみを有する端末が主として利用されていたが，現在では，スマートフォンと呼ばれる高機能な情報処理機能を有する端末の利用比率が高くなってきている。
【０００４】
高機能端末であるスマートフォンでは，多種多様なアプリケーションが扱われるようになり，従来の携帯電話端末と比較して，無線アクセスネットワークを流れる通信量が大幅に増加している。このため，無線アクセスネットワークの負荷を軽減することが課題となっている。
【０００５】
無線アクセスネットワークの付加を軽減する手法の一つとして，トラヒックのオフロード技術がある。オフロード技術は，モバイル端末のトラヒックを、無線アクセスネットワークを回避させ，有線ネットワークを経由させることによって，無線アクセスネットワークの負荷を軽減しようとするものである。オフロードの実現には，無線ＬＡＮを利用する方式，フェムトセルと呼ばれる，超小型の基地局を宅内に設置し，基地局からのトラヒックが光アクセスネットワークを経由してインターネットへ転送する方式や，映像配信などのコンテンツを，キャッシュ技術や，ＣＤＮ（Ｃｏｎｔｅｎｔｓ  Ｄｅｌｉｖｅｒｙ  Ｎｅｔｗｏｒｋ）と呼ばれるコンテンツ配信専用のネットワークを，より端末に近い場所に設置することにより，無線アクセスネットワークに流入するトラヒックを軽減する方式などがある。
【先行技術文献】
【特許文献】
【０００６】
【特許文献１】ＷＯ２００９／００１４００号公報
【発明の概要】
【発明が解決しようとする課題】
【０００７】
従来のモバイル通信におけるビジネスモデルでは，ネットワークを運用する通信事業者がネットワーク上でのサービス仕様を決定し，それに基づいてネットワーク上のトラヒック量を予測した上で，ネットワーク設計，および構築を行ってきた。
【０００８】
しかしながら，スマートフォンでは，ユーザが自由にアプリケーションを開発することが可能になり，さらには，ユーザが開発したアプリケーションをユーザ間で自由に共有して利用することが可能になる。これによって，サービス提供の主体が，通信事業者から，端末メーカーやサービスプロバイダへと移行している。このため，通信事業者は，従来と比較して，ネットワーク上のトラヒック量の予測が困難になってきている。
【０００９】
トラヒックのオフロードを実現する上で，通信事業者は，ネットワークの利用状況を的確に把握することが必要である。
【００１０】
端末の場所や移動経路と，その場所や経路上から利用した通信先を関連付けることは，オフロード用のキャッシュやＣＤＮの配置，また，無線ＬＡＮアクセスによる有線ネットワークにオフロードするネットワークの設計を行う上で有効である。
【００１１】
端末の位置情報を把握する手段として，携帯電話やスマートフォンに搭載されたＧＰＳ（Ｇｌｏｂａｌ Ｐｏｓｉｔｉｏｎｉｎｇ  Ｓｙｓｔｅｍ）機能を利用する方法がある。端末に搭載されたＧＰＳ機能を利用して，位置情報を解析する場合，端末のＧＰＳ機能を常時起動しておかなければならない。すなわち，端末は一定時間ごとに，ＧＰＳ機能を用いて，その時刻における位置情報を測定すること，および，その位置情報を，位置情報を収集する事業者（多くの場合は，モバイルネットワークを運用する通信事業者）に提供しなければならない。このことは，端末の電力消費量の増加につながり，バッテリーの消耗を早める原因となる。さらに，ＧＰＳ機能による位置情報の把握は，通信の利用状況との相関性がない。このため，位置情報を収集する事業者は，端末の通信利用有無に関わらず，常時，端末の位置情報を収集しなければならない。このことに伴い，次の課題が生じる。第一の課題は，システムが収集する情報量が増大することにある。第二の課題は，端末の位置情報を通信利用状況と関連付ける際，膨大な情報の中から，通信利用時のみの位置情報を通信利用状況と関連付ける必要があるため、当該関連付けの処理量が増大することである。
【００１２】
特許文献１では，端末の移動経路や移動方向の推定を行う方式が示されている。しかしながら，特許文献１は，低消費電力化を目的としたものであり，トラヒック量の予測を行うために必要となる，端末の位置と，該端末による接続先を対応付ける方式については示されていない。
【課題を解決するための手段】
【００１３】
上記課題を達成するために，本発明におけるネットワークシステムは，複数の通信装置と、該複数の通信装置とネットワークを介して接続される通信ログ解析装置と、を含むネットワークシステムであって、前記複数の通信装置は、通信ログ情報を生成し、生成した通信ログ情報を前記通信ログ解析装置に送信し、前記通信ログ解析装置は、前記複数の通信装置より受信した通信ログ情報から、少なくとも二つの通信装置における所定の端末との通信ログ情報を抽出し、前記抽出した通信ログ情報を用いて前記所定の端末の移動方向を推定することを特徴とする。
【００１４】
また、前記通信装置は前記端末が無線接続する基地局であって、前記通信ログ解析装置は、前記端末が基地局に接続したときに前記基地局が生成する通信ログ情報、及び／又は、前記端末が基地局との接続を切断したときに前記基地局が生成する通信ログ情報を抽出する。
【００１５】
また、前記通信ログ解析装置は、前記抽出した通信ログ情報と各基地局間の距離が設定された基地局間距離情報とを用いて、前記端末が移動した移動距離を推定する。
【００１６】
また、前記通信ログ解析装置は、前記抽出した通信ログ情報に設定された該通信ログ情報の生成時刻から、前記端末が前記基地局間を移動するのに要した移動時間を計算し、該移動時間と前記移動距離とを用いて前記端末の移動速度を推定する。
【００１７】
また、前記通信ログ解析装置は、基地局毎に基地局の電波が届く範囲内に存在する経路の情報が設定された経路情報、前記移動速度、及び前記移動方向の少なくとも一以上を用いて前記端末の移動経路又は移動手段を推定する。
【００１８】
また、前記通信装置は、前記端末が無線接続する基地局及び前記端末がＷＥＢサーバに接続する際に接続するプロキシサーバであって、前記通信ログ解析装置は、前記プロキシサーバが生成した、前記端末の接続先であるＷＥＢサーバの情報を含む通信ログ情報と、前記移動経路又は前記移動手段とを対応付ける。
【発明の効果】
【００１９】
本発明によれば，端末の移動方向等の推定に，ＧＰＳの利用が不要となる。これによって，端末移動方向等を推定するために必要となる情報量を、ＧＰＳを利用する場合に比べ削減することが可能になる。
【図面の簡単な説明】
【００２０】
【図１】本発明の実施形態のネットワークの構成例を示す図
【図２】本発明の実施の形態の通信ログ解析システムのハードウェア構成例を示すブロック図
【図３】本発明の実施の形態の通信ログ解析システム内における処理を説明するブロック図
【図４】本発明の実施の形態による移動経路推定の概念を説明する図
【図５】端末がネットワーク接続を行う際のシーケンスの例を説明する図
【図６】端末が移動し，異なる基地局に対してハンドオーバを行う際のシーケンスの例を説明する図
【図７】端末がネットワークから切断する際のシーケンスの例を説明する図
【図８】基地局情報データベースに設けられる経路情報テーブルの構成例を示す図
【図９】基地局情報データベースに設けられる距離テーブルの構成例を示す図
【図１０】位置情報処理部に設けられる端末トレーステーブルの構成例を示す図
【図１１】通信ログ解析システムによる，端末の移動速度を推定するための計算手順の例を説明するフローチャート
【図１２】通信ログ解析システムによる，移動経路推定の手順例を説明するフローチャート
【図１３】基地局が，端末が該基地局に対して接続，ハンドオーバ，または，切断した際に生成する通信ログ情報の例を示す図
【図１４】ＡＡＡサーバが生成する通信ログ情報の例を示す図
【図１５】プロキシサーバが生成する通信ログ情報の例を示す図
【図１６】Ｐ−ＧＷが生成する通信ログ情報の例を示す図
【図１７】Ｓ−ＧＷが生成する通信ログ情報の例を示す図
【図１８】ＨＳＳが生成する通信ログ情報の例を示す図
【図１９】端末情報をマッピングするテーブルの構成例を示す図
【図２０】端末の移動経路と端末によるネットワーク接続先とを対応付ける処理手順の例を示すフローチャート
【図２１】無線ＬＡＮ経由でのトラヒックオフロードの例を説明する図
【図２２】コンテンツ配信ネットワークを用いたトラヒックオフロードの例を説明する図
【図２３】端末トレーステーブルの生成手順例を説明するフローチャート
【発明を実施するための形態】
【００２１】
以下、本発明の実施の形態について、図面を参照して説明する。
【００２２】
図１は、本発明の実施形態のネットワークの構成例を示す図である。特に，図１においては，ＬＴＥ（Ｌｏｎｇ  Ｔｅｒｍ Ｅｖｏｌｕｔｉｏｎ）のネットワークを例にしたものである。
【００２３】
本発明の実施の形態のネットワークの構成例は，通信ログ解析システム１，端末３１，基地局２１，パケットの伝達制御を行うサービングゲートウェイ（Ｓ−ＧＷ）２２，インターネット側の接続点となるパケットデータネットワークゲートウェイ（Ｐ−ＧＷ）２３，端末の移動管理などの処理を行う移動管理エンティティ２４，ユーザ契約情報等を管理するホーム加入者サーバ（ＨＳＳ）２５，課金などのポリシーを決定するポリシー・課金機能（ＰＣＲＦ）２６，認証サーバ（ＡＡＡ）２７，無線ネットワーク３０とインターネット（ＩＰ網）３２との中継サーバとなるプロキシサーバ２８，および，端末による接続先となるＷｅｂサーバ２９から構成される。
【００２４】
なお，本発明は，ＬＴＥのみならず，ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ），第３世代の移動体通信方式であるＣＤＭＡ２０００などの，他のモバイル通信方式にも適用することが可能である。
【００２５】
図２は，本発明の実施の形態の通信ログ解析システム１のハードウェア構成例を示すブロック図である。
【００２６】
通信ログ解析システム１の構成要素は，ネットワーク装置からのログ情報を収集するためのネットワークインタフェース１１−１，解析結果を外部装置に出力するためのネットワークインタフェース１１−２，解析等の演算処理を行うＣＰＵ１２，メモリ１３，解析結果等の蓄積機能を有する補助記憶装置１４である。
【００２７】
図３は，本発明の実施の形態の通信ログ解析システム１内における処理を説明するブロック図である。
【００２８】
通信ログ解析システム１の処理ブロック１４は，ログ情報収集部１４１，位置情報処理部１４３，データマッピング部１４６により，構成される。
【００２９】
ログ情報収集部１４１では，基地局２１などからログ情報を収集し，ログ情報収集部１４１に設けられるログ情報格納部１４１１に格納する。分析に必要な情報の具体的な例は，基地局２１が収集する通信ログにおいては，通信を行う端末を識別する情報，端末が基地局に接続し，通信を開始した時刻，端末が基地局への接続を切断し，通信を終了した時刻，端末が無線接続した場所を識別するための，基地局を識別する情報である。また，基地局２１以外の装置，例えば，Ｓ−ＧＷ２２におけるログ情報の例としては，端末が通信を開始する際に，セッション設定要求信号を受信した時刻，あるいは，セッション切断応答をＳ−ＧＷ２２が送信した時刻がある。
【００３０】
基地局２１から収集し，抽出された情報は，位置情報処理部１４３に送られる。位置情報処理部１４３には，移動経路推定部１４２，速度計算部１４７，端末トレーステーブル生成部１４８，端末トレーステーブル１４４，基地局情報データベース１４５，端末トレーステーブル１４４が含まれる。基地局情報データベース１４５には，経路情報テーブル１４５１と，距離テーブル１４５２が設けられる。位置情報処理部１４３に含まれる端末トレーステーブル生成部１４８は，ログ情報収集部１４１が収集した情報を用いて端末トレーステーブル１４４を生成する。速度計算部１４７は，端末トレーステーブル１４４，および，基地局情報データベース１４５の情報を用いて，端末の移動速度を計算する。さらに，移動経路推定部１４２は，速度計算部１４７が計算した端末の移動速度，および，基地局情報データベース１４５の情報を用いて，端末の移動経路を推定するための処理を行う。
【００３１】
位置情報処理部１４３で分析された移動経路推定結果，および，Ｓ−ＧＷ２２，Ｐ−ＧＷ２３などの装置から収集したログ情報から抽出した情報は，データマッピング部１４６に送られる。データマッピング部１４６では，端末や時刻の照合を行うことにより，それぞれの装置が生成したログ情報に関して，同一端末による同一時間の通信情報に対応付け，１４６０で示される端末の識別情報マッピングを生成する。
【００３２】
図８は，位置情報処理部１４３における基地局情報データベース１４５に設けられる経路情報テーブル１４５１の構成例を示すものである。
【００３３】
経路情報テーブル１４５１は，基地局２１と，該基地局がカバーするセル内（基地局から電波の届く範囲内）に存在する路線情報とを対応付けるエントリが設けられる。
【００３４】
図９は，位置情報処理部１４３における基地局情報データベース１４５に設けられる距離テーブル１４５２の構成例を示すものである。
【００３５】
距離テーブル１４５２には，任意の２つの基地局２１間の距離が設定される。
【００３６】
図１０は，位置情報処理部１４３に設けられる端末トレーステーブル１４４の構成例を示す図である。
【００３７】
端末トレーステーブル１４４は，端末単位に分割されて構成される。端末トレーステーブル１４４には，通信ログが生成された時刻，および，該通信ログを生成した基地局の組合せによって構成されるテーブルエントリが設けられる。
【００３８】
図４は，本発明の実施の形態による移動経路推定の概念を説明する図である。
【００３９】
図４において，端末３１は，最初にセル３０−１をカバーする基地局２１−１に対して無線接続する。このとき，基地局２１−１は，端末３１に関する通信ログを生成する。端末３１は，通信しながら移動し，基地局２１−２がカバーするセル３０−２内に入る。端末２１はセル間を移動する際，基地局２１−１と２１−２との間でハンドオーバの処理を行う。このとき，基地局２１−２は，端末３１に関する通信ログを生成する。次に端末３１はセル３０−３に移動する際，ハンドオーバの処理を行い，基地局２１−３は，端末３１に関する通信ログを生成する。端末３１は，セル３０−３内において，通信を終了する。このとき，基地局２１−３は通信ログを生成する。
【００４０】
通信ログ解析システム１は，これらの通信ログを用いて，図１１に示す手順によって，端末３１の移動経路と移動速度を推定する。
【００４１】
通信ログ解析システム１は，さらに，図１２に示す手順によって，推定した移動経路と移動速度と，地図情報とを照合することにより，端末の移動手段を推定することが可能である。
【００４２】
推定した移動速度，移動経路，および，移動手段から，一定時間経過後の移動先を予測することが可能になる。例えば，図４の例では，図８で示した経路情報テーブルを用いることにより，将来の端末３１の移動先が，基地局２１−４がカバーするエリアであるセル３０−４内であることを示している。
【００４３】
なお，図４では，簡略化のため，一つの基地局２１がカバーするエリアを一つのセル３０として表している。しかしながら，実際のモバイル通信システムにおいては，一つのセル３０をセクタと呼ばれる複数のエリアに分割し，一つの基地局が複数のエリアをカバーすることがある。
【００４４】
図５から図７を用いて，基地局において通信ログが生成される契機について説明する。図５から図７では，例として，ＬＴＥにおけるネットワーク接続，ハンドオーバ，および，切断する際の基地局等の装置との間の処理シーケンスを示す。
【００４５】
図５は，端末がネットワーク接続を行う際のシーケンスの例である。
【００４６】
端末は，自端末の情報を設定した接続要求の信号ＳＱ１００を基地局２１に送信する。このとき，基地局２１は，端末３１に関して，図１３に示される，端末３１を識別する情報として，端末ＩＤ，基地局を識別する情報として，セルを識別する情報，セクタを識別する情報，端末が基地局２１に接続，または，ハンドオーバ，または，切断した時刻が設定された通信ログを生成する。信号ＳＱ１００は基地局２１を経由してＭＭＥ２４へ送信される。
【００４７】
ＳＱ１１０においてＭＭＥ２４はＨＳＳ２３との間で端末認証を行うための情報交換を行う。この過程において，ＭＭＥ２４，および，ＨＳＳ２５はそれぞれ，図１８に示される，端末３１に関して，端末３１を識別する情報，時刻が設定された通信ログを生成する。
【００４８】
ＳＱ１２０において，端末３１はＭＭＥ２４との間で端末認証の処理を行う。
【００４９】
ＳＱ１３０において，ＭＭＥ２４とＨＳＳ２５との間で端末の位置登録処理を行う。
【００５０】
ＭＭＥ２４は，Ｓ−ＧＷ２２に対して，セッションの設定要求信号ＳＱ１４０を送信する。ＳＱ１５０において，Ｓ−ＧＷ２２は，Ｓ−ＧＷ２２とＰ−ＧＷ２３との間の経路設定を行うための情報をＰＣＲＦ２６から入手する。Ｓ−ＧＷ２２は，Ｐ−ＧＷ２３に対して経路設定要求の信号ＳＱ１６０を送信する。ＳＱ１７０において，Ｐ−ＧＷはＡＡＡ２７との間で，ユーザ認証の処理を行う。このとき，ＡＡＡ２７は端末３１に割り当てるＩＰアドレスをＰ−ＧＷ２３に通知するとともに，端末３１に関して，図１４に示される，端末３１を識別する情報として，セッションＩＤやユーザＩＤ，端末に割り当てたＩＰアドレス，認証時刻が設定された通信ログを生成する。
【００５１】
Ｐ−ＧＷ２３は経路設定応答の信号ＳＱ１８０をＳ−ＧＷ２２に対して送信する。
【００５２】
ＭＭＥ２４は，ＭＭＥ２４と基地局２１との間の区間設定要求信号ＳＱ２００を基地局２１に送信し，さらに，ＡＡＡ２７が発行した端末３１に割り当てるＩＰアドレスなどの情報を設定した接続完了通知の信号ＳＱ２１０を端末３１に送信する。
【００５３】
基地局２１は，ＳＱ２００の応答として，設定完了応答２２０をＭＭＥ２４に送信する。
【００５４】
端末３１は，ＳＱ２１０の応答として，接続完了応答２３０をＭＭＥ２４に送信する。
【００５５】
図６は，端末が移動し，異なる基地局に対してハンドオーバを行う際のシーケンスの例である。
【００５６】
端末３１は，接続中の基地局２１−１との間で，無線品質の報告を行う（ＳＱ３００）。端末３１の移動に伴い，より無線品質のよい基地局２１−２が存在する場合には，基地局２１−１は基地局２１−２に対してハンドオーバ要求を行う（ＳＱ３１０）。基地局２１−２は，ハンドオーバ要求応答を行う（ＳＱ３２０）。基地局２１−１は端末３１に対して切替指示を行う（ＳＱ３３０）。端末３１は，新しい接続先となる基地局２１−２に対して，切替完了通知を行う。このとき，基地局２１−２は，図１３に示される端末３１に関するログ情報を生成する。
【００５７】
図７は，端末がネットワークから切断する際のシーケンスの例である。
【００５８】
端末３１は，基地局２１を経由してＭＭＥ２４に対して切断要求信号ＳＱ４００を送信する。
【００５９】
ＭＭＥ２４はＳ−ＧＷ２２に対して，セッション切断要求信号ＳＱ４１０を送信する。
【００６０】
Ｓ−ＧＷ２２は，ＰＣＲＦ２６との間でセッション解除の処理を行い（ＳＱ４２０），さらに，Ｓ−ＧＷ２２は，ＳＱ４３０，によって，Ｐ−ＧＷ２３との間のセッションを切断する。この過程において，Ｓ−ＧＷ２２，Ｐ−ＧＷ２３は，端末３１に関するログ情報を生成する。
【００６１】
Ｓ−ＧＷ２２は，ＳＱ４１０に対する応答として，セッション切断応答信号ＳＱ４７０をＭＭＥ２４に対して送信する。
【００６２】
ＭＭＥ２４は，基地局２１に対して，ＭＭＥ２４と基地局２１との間の区間解放指示信号ＳＱ４８０を送信する。基地局２１は，端末３１に対して，無線区間解放の信号ＳＱ４９０を送信する。このとき，基地局２１は，図１３に示される端末３１に関するログ情報を生成する。
【００６３】
基地局２１は，ＳＱ４８０に対する応答として，区間解放完了通知信号ＳＱ５００をＭＭＥ２４に対して送信する。
【００６４】
図１１は，通信ログ解析システムによる，端末の移動速度を推定するための計算手順の例を説明するフローチャートである。
【００６５】
移動速度を推定する端末に関する端末トレーステーブルを参照する（ＦＬ１１０）。端末トレーステーブルにおける，時間的に隣接する２つのエントリを抽出することによって，端末が移動した際に接続した２つの基地局を抽出する（ＦＬ１２０）。抽出した２つの基地局間の距離を，距離テーブルを用いて，把握する（ＦＬ１３０）。
【００６６】
セル間距離を２つのエントリが生成された時刻の差で除算する。この値が，端末の移動速度の推定値となる（ＦＬ１４０）。
【００６７】
図１２は，通信ログ解析システムによる，移動経路推定の手順例を説明するフローチャートである。
【００６８】
端末トレーステーブルを参照することによって，端末が経由したセルを抽出し，経路情報テーブルを参照することによって，該セルに関するエントリを参照し，該セルのエリア内に存在する路線情報を検索する（ＦＬ２１０）。
【００６９】
ＦＬ２１０と同様にして，端末が次に経由したセルに関して，該セルのエリア内に存在する路線情報を検索する（ＦＬ２２０）。
【００７０】
最初のセルと，２番目のセルに共通する路線の有無を確認する（ＦＬ２３０）。
【００７１】
共通する路線が存在しない場合には，該当路線が存在しないと判定し（ＦＬ２９０），処理を終了する（ＦＬ３００）。
【００７２】
共通する路線が存在する場合には，共通する路線が複数存在するか，あるいは単一であるかを判定する（ＦＬ２４０）。
【００７３】
共通する路線が複数存在する場合には，推定した端末の移動速度より，路線を特定することが可能であるかを判定する（ＦＬ２５０）。
【００７４】
推定した端末の移動速度から，路線を特定することが可能であれば，その路線を移動中と判定し，処理を終了する（ＦＬ２６０）。
【００７５】
推定した端末の移動速度から，路線を特定することが不可能であれば，経路情報テーブルにおける次の基地局に関するエントリを検索する（ＦＬ２７０）。
【００７６】
ＦＬ２４０において，共通する路線が単一と判断された場合は，検索で得られた路線を移動中と推定し（ＦＬ２８０），処理を終了する（ＦＬ３００）。
【００７７】
図１３は基地局が，端末が該基地局に対して接続，ハンドオーバ，または，切断した際に生成する通信ログ情報２１００の例を示す図である。基地局が生成するログ情報には，該基地局を識別する情報，端末のハードウェアに設定されている端末ＩＤ，前記端末が接続，ハンドオーバ，または，切断したセルを識別する情報，前記端末が接続，ハンドオーバ，または，切断したセクタを識別する情報，端末が前記基地局に接続した時刻，端末が前記基地局にハンドオーバした時刻，端末が前記基地局から切断した時刻が設定されている。ここで，基地局が生成する通信ログ情報における端末識別情報の例としては，端末に固有に割り当てられているハードウェアの識別情報がある。基地局が生成する通信ログ情報２１００の生成契機は，図５から図７を用いて説明したとおりである。
【００７８】
図１０に示す端末トレーステーブル１４４の生成手順を説明する。図３に示す通信ログ解析システム１の処理ブロック１４における端末トレーステーブル生成部１４８は，ログ情報格納部１４１１から図１３に示す基地局２１が生成する通信ログ２１００を取り出し，該通信ログ２１００に設定された，端末ＩＤ情報を抽出する（ＦＬ５１０）。該通信ログ２１００が生成された時刻，すなわち，該通信ログ２１００に設定された接続時刻，あるいは，ハンドオーバ時刻，あるいは，切断時刻のいずれかを，抽出し，端末トレーステーブル１４４に設定する（ＦＬ５２０）。さらに，図１３に設定されたセル情報，および，セクタ情報を，端末トレーステーブル１４４に設定する（ＦＬ５３０）。
【００７９】
図１４はＡＡＡサーバが生成する通信ログ情報２７００の例である。ＡＡＡサーバが生成する通信ログ情報２７００には，ログを生成するＡＡＡサーバを識別する情報，セッションＩＤ，ユーザＩＤ，端末に割り当てるＩＰアドレス，および，ユーザ認証を行った時刻が設定される。
【００８０】
図１６はＰ−ＧＷが生成する通信ログ情報２３００の例である。Ｐ−ＧＷが生成するログ情報には，ログを生成するＰ−ＧＷを識別する情報，Ｓ−ＧＷとＰ−ＧＷとの間に設定されるトンネルを識別する情報であるＧＲＥキー，セッションを識別するセッションＩＤ，および，ログの生成時刻が設定される。
【００８１】
図１７はＳ−ＧＷが生成する通信ログ情報２２００の例である。Ｓ−ＧＷが生成する通信ログ情報２２００には，Ｓ−ＧＷを識別する情報，端末ＩＤ，Ｓ−ＧＷとＰ−ＧＷとの間に設定されるトンネルを識別する情報であるＧＲＥキー，ログの生成時刻が設定される。
【００８２】
図１８はＨＳＳが生成する通信ログ情報２５００の例である。ＨＳＳが生成するログ情報２５００には，ＨＳＳを識別する情報，端末ＩＤ，ログの生成時刻が設定される。
【００８３】
図１９は，図５で説明した，端末３１によるネットワーク接続手順において，メッセージの送受信を行う各装置における識別情報をマッピングする端末識別情報マッピングテーブル１４６０の構成例を示す図である。図１９においては，図１３で示した，基地局２１が生成するログ情報２１００に設定されている端末ＩＤ，図１７で示した，Ｓ−ＧＷ２２が生成するログ情報２２００に設定されている端末ＩＤとＧＲＥキー，Ｐ−ＧＷ２３が生成するログ情報２３００が生成するＧＲＥキーと端末ＩＰアドレスから，端末に設定されているハードウェア識別情報である端末ＩＤと，ＡＡＡ２７が端末に対して割り当てるＩＰアドレスをマッピングする例を示している。これらのマッピングされた情報によって，基地局２１，Ｓ−ＧＷ２２，および，Ｐ−ＧＷ２３がそれぞれ生成するログ情報について，同一端末に関するものを関連づけることが可能となる。
【００８４】
図１５はプロキシサーバが生成する通信ログ情報２８００の例である。プロキシサーバが生成する通信ログ情報２８００は，端末３１がＷｅｂサーバ２９に接続する際，端末３１とＷｅｂサーバ２９との間のＨＴＴＰセッションの受付時，および，ＨＴＴＰセッション終了時に生成されるものである。プロキシサーバが生成する通信ログ情報には，ログを生成するプロキシサーバを識別する情報，端末識別情報，接続先情報，ＨＴＴＰセッションの受付時刻，終了時刻が設定される。ここで，端末識別情報に設定される情報の例として，端末からＷｅｂサーバ宛に送信されるパケットに設定されている送信元ＩＰアドレスがある。また，接続先情報の例として，ＵＲＬ（Ｕｎｉｆｏｒｍ  Ｒｅｓｏｕｒｃｅ  Ｌｏｃａｔｏｒ）がある。
【００８５】
図２０は端末の移動経路と端末によるネットワーク接続先とを対応付ける処理手順の例を示すフローチャートである。
【００８６】
通信ログ解析システム１の処理ブロック１４におけるデータマッピング部１４６は，図１９に示される端末識別情報マッピングテーブル１４６０により，関係付けの対象となる端末のハードウェアＩＤを選択し（ＦＬ４１０），該ハードウェアＩＤに対応する端末に割り当てられたＩＰアドレスを，図１３から図１８に示したログ情報の対応付けにより検索する（ＦＬ４２０）。例えば，図１９に示した端末識別情報マッピングテーブル１４６０では，図１３に示される基地局２１が生成する通信ログ２１００における端末識別情報としてハードウェアＩＤ，図１７に示されるＳ−ＧＷ２２が生成する通信ログ２２００における端末識別情報としてＧＲＥキー，図１６に示されるＰ−ＧＷ２３が生成する通信ログ２３００における端末識別情報として割当ＩＰアドレスが設定されている。
【００８７】
データマッピング部１４６は，図１０に示される端末トレーステーブル１４４より，該端末が基地局２１に接続していた時間帯を選択する（ＦＬ４３０）。
【００８８】
データマッピング部１４６は，図１５に示されるプロキシのログ情報２８００より，ステップＦＬ４２０において，該端末のハードウェアＩＤに対応付けられているＩＰアドレスが，通信接続していた時間帯に合致するＨＴＴＰセッション受付時刻とＨＴＴＰセッション終了時刻が含まれるログ情報を抽出することにより，その時間帯の接続先情報を抽出する（ＦＬ４４０）。
【００８９】
これまでの説明において，端末の接続場所，あるいは，移動経路と，端末によるネットワーク接続先を対応付ける手順の実施の形態について説明した。
【００９０】
端末の接続場所，あるいは，移動経路と，端末によるネットワーク接続先を対応付ける効果としてトラヒックオフロードを実現する例について説明する。
【００９１】
図２１は，無線ＬＡＮ経由でのトラヒックオフロードの例を説明する図である。
【００９２】
図２１の例において，端末３１からＷｅｂサーバ２９への通常の接続経路はＲＴ１００に示すものである。ここで，本発明の実施の形態による方法によって,基地局２１からＷｅｂサーバ２９への接続数やトラヒック量が多いと判断される場合，トラヒックを迂回する経路として，端末３１が無線ＬＡＮのアクセスポイント４０に接続した上で，有線ネットワーク４４を経由して，インターネット３２からＷｅｂサーバ２９に接続する経路ＲＴ２００を設定する。
【００９３】
図２２は，コンテンツ配信ネットワークを用いたトラヒックオフロードの例を説明する図である。
【００９４】
端末３１と映像配信サーバ５１−１との間の通常接続経路はＲＴ１００に示すものである。ここで，本発明の実施の形態による方法によって,基地局２１から映像配信サーバ５１−１への接続数やトラヒック量が多いと判断される場合，コンテンツ配信網５０を設けることによって，無線ネットワーク３２とのトラヒック量を軽減することが可能となる。
【００９５】
本発明によれば，端末の移動経路と，該端末による接続先とを関連付けることが可能になるため、無線アクセスネットワークの負荷を軽減するトラヒックオフロードを行うための，ネットワーク設計に必要となる情報収集を行うことが可能になる。
【００９６】
さらに，通信利用するユーザの移動先に応じた，適切な接続先をユーザに推奨することにも活用することが可能になる。例えば，列車内での無線ＬＡＮ接続サービスを提供する場合，通信ログ解析システムによる解析結果として，過去に該当路線に繰り返し乗車し，ネットワーク接続を行っていることが判明しているユーザに対しては，無線アクセスネットワーク経由によるネットワークではなく，列車内無線ＬＡＮ接続サービスを利用に推奨することが可能である。
【００９７】
通信を利用するユーザの属性（例えば，年齢，性別）と，そのユーザが通信を行った場所や移動経路とを結びつけることによって得られる情報は，場所に応じたサービスを提供するために活用できる。
【符号の説明】
【００９８】
１  通信ログ解析システム
１１  ネットワークインタフェース
１２  ＣＰＵ
１３  メモリ
２１  基地局
２２  サービングゲートウェイ
２３  パケットデータネットワークゲートウェイ
２４  移動管理エンティティ
２５  ホーム加入者サーバ
２６  ポリシー・課金機能
２７  認証サーバ
２８  プロキシサーバ
２９  Ｗｅｂサーバ
３０  セル
３１  無線ネットワーク
３２  ＩＰネットワーク
【図１】
0005736217.tif 000002
【図２】
0005736217.tif 000003
【図３】
0005736217.tif 000004
【図４】
0005736217.tif 000005
【図５】
0005736217.tif 000006
【図６】
0005736217.tif 000007
【図７】
0005736217.tif 000008
【図８】
0005736217.tif 000009
【図９】
0005736217.tif 000010
【図１０】
0005736217.tif 000011
【図１１】
0005736217.tif 000012
【図１２】
0005736217.tif 000013
【図１３】
0005736217.tif 000014
【図１４】
0005736217.tif 000015
【図１５】
0005736217.tif 000016
【図１６】
0005736217.tif 000017
【図１７】
0005736217.tif 000018
【図１８】
0005736217.tif 000019
【図１９】
0005736217.tif 000020
【図２０】
0005736217.tif 000021
【図２１】
0005736217.tif 000022
【図２２】
0005736217.tif 000023
【図２３】
0005736217.tif 000024